(57)【要約】【課題】支柱の交換作業を効率的に行うことができる支柱の改修方法を提供する。【解決手段】設置面Ｇに立設されていた既設支柱１を設置面Ｇで切断し、前記既設支柱１の内径より小径の新たな支柱４の支柱下部４１を設置面Ｇ内に残された既設支柱１の残部１１に挿入して、新たな支柱４とする。かようにすることによって、設置面Ｇを掘り返してコンクリート基礎等を破砕すると言った作業を行うことなく、支柱の改修作業を効率的に実施することができる。【選択図】        図２
2011226058.tif 000002
【特許請求の範囲】
【請求項１】
設置面に立設されていた既設支柱を設置面で切断し、前記既設支柱の内径より小径の新たな支柱の支柱下部を、設置面内に残された既設支柱の残部に挿入することにより、前記既設の支柱に替わる新たな支柱を形成することを特徴とする支柱の改修方法。
【請求項２】
設置面に立設されていた既設支柱を設置面で切断し、前記既設支柱の内径より小径の芯材を設置面内に残された既設支柱の残部に挿入し設置面から突設させると共に、新たな支柱の支柱下部を前記芯材に外嵌して、新たな支柱と芯材とを締結することにより、前記既設支柱に替わる新たな支柱を形成することを特徴とする支柱の改修方法。
【発明の詳細な説明】
【技術分野】
【０００１】
本発明は、例えば、道路の路側や歩行帯、敷地内の通路、公園内、遊歩道、自転車道等に設置された支柱の改修方法に関するものである。
【背景技術】
【０００２】
従来、歩道や公園等への車両の進入を物理的又は心理的に防止する車止めや、また公園の入り口付近に設置され例えば災害時の避難場所を示す表示板、或いは道路に沿って設置される防護柵の支柱、と言った支柱に関しては、数多くの発明がなされている。
【０００３】
例えば、特許文献１には、略円筒状で頂部が凸状の曲面に形成された外筒部材、外筒部材の下部に配設された固定用支柱部材、固定用支柱部材の外筒部材の内部側端部に配設されたコイルバネ、並びに円筒状の外筒部材の内部に充填されたポリウレタン発泡体から構成された道路標識柱であって、前記固定用支柱部材の一部は外筒部材の下端より外方に露出し、生コンクリートの打設などにより、前記固定用支柱部材の外方に露出した部分が地中に固定されると言う道路標識柱である支柱の施工方法が開示されている。
【先行技術文献】
【特許文献】
【０００４】
【特許文献１】特開２００８−１５０９００号公報
【発明の概要】
【発明が解決しようとする課題】
【０００５】
しかしながら、上記の従来の支柱は、一旦地中に固定してしまうと、例えば車両等の衝突により損傷したり老朽化したりして、交換する必要がある場合、コンクリート基礎部から支柱を掘り起こし交換しなければならず、基礎の入れ替えなど土工作業が大掛かりでコスト・工期ともにかかってしまっていた。また、重機が必要などで交通規制範囲も広がり周辺の通行障害となっていた。
【０００６】
本発明は、前記の如き課題を解消し、支柱の交換作業を効率的に行うことができる支柱の改修方法を提供せんとするものである。
【課題を解決するための手段】
【０００７】
上記目的を達成するために、本発明は次のような構成としている。
すなわち、本発明に係る支柱の改修方法は、設置面に立設されていた既設支柱を設置面で切断し、前記既設支柱の内径より小径の新たな支柱の支柱下部を、設置面内に残された既設支柱の残部に挿入することにより、前記既設の支柱に替わる新たな支柱を形成することを特徴とするものである。
【０００８】
また本発明に係る支柱の改修方法は、設置面に立設されていた既設支柱を設置面で切断し、前記既設支柱の内径より小径の芯材を設置面内に残された既設支柱の残部に挿入し設置面から突設させると共に、新たな支柱の支柱下部を前記芯材に外嵌して、新たな支柱と芯材とを締結することにより、前記既設支柱に替わる新たな支柱を形成することを特徴とするものである。
【発明の効果】
【０００９】
本発明に係る支柱の改修方法によれば、設置面に立設されていた既設支柱を設置面で切断し、前記既設支柱の内径より小径の新たな支柱の支柱下部を、設置面内に残された既設支柱の残部に挿入することにより、前記既設の支柱に替わる新たな支柱を形成するので、設置面を掘り返してコンクリート基礎を掘り起こす等の作業を行うことなく、支柱の改修作業を効率的に実施することができる。
【００１０】
また本発明に係る支柱の改修方法によれば、設置面に立設されていた既設支柱を設置面で切断し、前記既設支柱の内径より小径の芯材を設置面内に残された既設支柱の残部に挿入し設置面から突設させると共に、新たな支柱の支柱下部を前記芯材に外嵌して、新たな支柱と芯材とを締結することにより、前記既設支柱に替わる新たな支柱を形成するので、設置面を掘り返してコンクリート基礎等を破砕すると言った作業を行うことなく、支柱の改修作業を効率的に実施することができる。
【図面の簡単な説明】
【００１１】
【図１】既設支柱により形成される防護柵の一形態を示す正面図である。
【図２】図１の防護柵における既設支柱に本発明に係る支柱の改修方法を適用した実施の一形態を示す説明図である。
【図３】図１の防護柵における既設支柱に本発明に係る支柱の改修方法を適用した実施の他の形態を示す説明図である。
【図４】図１の防護柵における既設支柱に本発明に係る支柱の改修方法を適用した実施のさらに他の形態を示す説明図である。
【図５】本発明に係る支柱の改修方法に用いられるカバー材の一形態を示す斜視図である。
【発明を実施するための形態】
【００１２】
次に、本発明を実施するための最良の形態について図面を参照し、具体的に説明する。
図１において、１は設置面Ｇに間隔をおいて複数立設された既設の支柱であり、２は前記既設支柱１間に架け渡されたビーム材であり、３は前記既設支柱１間に架け渡されたビーム材２を既設支柱１に支持する支持金具であり、図１に示す形態は、既設支柱１とビーム材２と支持金具３とを備えた防護柵の形態となされている。
【００１３】
図２に示す如く、既設支柱１はコンクリート基礎Ｋに形成された挿入孔Ｈに挿入されて設置面Ｇに立設され、挿入孔Ｈと既設支柱１との隙間にモルタルＭを流し込んで固化させ、既設支柱１が固定されている。
【００１４】
図１，２に示す形態において、既設支柱１は外径７６．３ｍｍ、厚さ２．８ｍｍの断面円形状の鋼管であり、ビーム材２は外径４２．７ｍｍ、厚さ２．３ｍｍの鋼管であり、いずれも防蝕性下地処理に耐候性塗装仕上げがなされたものである。ビーム材２の地上高さは最上段のビーム材２が８００ｍｍとなされて、その下に２５０ｍｍの間隔をあけて２段、合計３段のビーム材２が既設支柱１に支持金具３を介して取付けられている。
【００１５】
次に図２を用いて、既設支柱１を新たな支柱４に取り替える本発明に係る支柱の改修方法について説明する。
４は本発明に係る支柱の改修方法により改修される支柱である。設置面Ｇに図２（イ）で示されるように立設されていた既設支柱１を、図２（ロ）で示されるように設置面Ｇで切断する。この場合、既設支柱１の切断面が設置面Ｇと面一となるように切断するのが好ましいが、多少設置面Ｇから上下していてもよい。
【００１６】
次に、図２（ハ）に示されるように、前記既設支柱１に替わる新たな支柱４の下部を、設置面Ｇ内に残された既設支柱１の残部１１内に挿入し、次いで図２（ニ）で示されるように、この挿入した新たな支柱１の下部と残部１１内壁との隙間にモルタルＭ’を流し込み固化させることにより、前記既設支柱１が設置されていた位置に、それに替わる新たな支柱を設置することができる。
【００１７】
改修された後の新たな支柱４は、その支柱下部４１を既設支柱１の残部１１内に挿入することから、その支柱下部４１は既設支柱の残部１１の内径より小径とする必要があるが、図２に示す如く、新たな支柱４全体が既設支柱１より小径であってもよいし、図３に示す如く、既設支柱１の残部１１に挿入される新たな支柱４の支柱下部４１のみを既設支柱１より小径となし、支柱下部４１より上方は既設支柱１と同径となす、所謂絞り加工を施したものであってもよく、更には支柱下部４１より上方を既設支柱１より大径とする絞り加工を施したものであってもよい。
【００１８】
図１に示す実施形態の既設支柱１を改修する場合において、図２に示されるような、新たな支柱４として全体が同径で既設支柱１より小径の支柱を用いる場合は、外径６０．５ｍｍ、厚さ３．２ｍｍの鋼管が好適に用いられ、また図３に示されるような、新たな支柱４として絞り加工を施した支柱を用いる場合は、外径７６．３ｍｍ、厚み２．８ｍｍの鋼管の下部を絞り加工したものが好適に用いられる。
【００１９】
また図４に示す如く、前記既設支柱１の内径より小径の芯材５を設置面Ｇ内に残された既設支柱１の残部１１に挿入し設置面Ｇから突設させると共に、新たな支柱６の支柱下部を前記芯材５に外嵌して、新たな支柱６と芯材５とを締結することにより、前記既設支柱１に替わる新たな支柱６を形成するようにしてもよい。
【００２０】
この実施形態において、芯材５は外径６０．５ｍｍ、厚み３．２ｍｍの短管を残部１１内に挿入し、その隙間にモルタルＭ’を流し込み固化させた後、外径７６．３ｍｍ、厚み２．８ｍｍの新たな支柱６を外嵌させて、芯材５の上部及び新たな支柱６の下部に穿設された通孔５１、６２にボルトＢを挿通しナットで締結して、新たな支柱６を形成している。この際、芯材５の外周面と新たな支柱６の内周面との間に隙間が生じる場合は、その隙間を充填する充填材７を芯材５の上部に取付けておき、新たな支柱６を外嵌すれば、芯材５と新たな支柱６とにがたつきが発生しなくすることができ、好ましい。なお、新たな支柱６の外径は、既設支柱１の外径と同じにしているが、それに限定されるものではない。また充填材７は、芯材５の外周面と新たな支柱６の内周面との間に生じた隙間を充填するものであれば、特に限定されるものではなく、金属製や合成樹脂製のスペーサーを芯材５の外周面に取付けたり、ゴムを芯材５の外周面に巻付けたりしてもよい。
【００２１】
上記実施形態において、既設支柱１を設置面Ｇで切断する際、既設支柱１を立設する時に用いられたモルタルＭが設置面Ｇより盛り上がっている場合があり、設置面Ｇと面一で既設支柱１を切断できず、残部１１の上端、すなわち切断面が設置面Ｇから突出する場合には、新たな支柱４，６を設置する際に、モルタルＭ’で突出した残部１１を覆い隠す様にすればよい。このようにすれば、切断した残部１１の上端で手を切る等のケガを防止することができる。
【００２２】
また、設置面ＧからモルタルＭ’が盛り上がっているため、外観を改善したい場合には、図５に示されるような、新たな支柱４，６が挿通可能な挿通孔８１を中央に備えた円錐台状のカバー材８を挿通して、支柱４や新たな支柱６の根元を隠蔽するようにするのが好ましい。
【００２３】
なお、上記既設支柱１及び新たな支柱４，６の断面形状、外径、厚み、材質については、あくまでも本発明の一例を示したに過ぎず、本発明の技術思想を逸脱しない範囲において、適宜サイズの支柱を用いればよい。更に、上記実施形態においては、防護柵に関して説明してきたが、車止めや標識柱等であってもよい。
【産業上の利用可能性】
【００２４】
本発明によれば、設置面に立設されていた既設支柱を設置面で切断し、前記既設支柱の内径より小径の新たな支柱の支柱下部を、設置面内に残された既設支柱の残部に挿入することにより、前記既設の支柱に替わる新たな支柱を形成しているため、設置面を掘り返してコンクリート基礎等を破砕すると言った作業を行うことなく、支柱の改修作業を効率的に実施することができる支柱の改修方法として好適に利用できる。
【符号の説明】
【００２５】
１      既設支柱
１１    残部
２      ビーム材
３      支持金具
４      新たな支柱
４１    支柱下部
５      芯材
５１    通孔
６      新たな支柱
６１    支柱下部
６２    通孔
７      充填材
８      カバー材
Ｇ      設置面
Ｋ      コンクリート基礎
Ｂ      ボルト
【図１】
2011226058.tif 000003
【図２】
2011226058.tif 000004
【図３】
2011226058.tif 000005
【図４】
2011226058.tif 000006
【図５】
2011226058.tif 000007